(57)【要約】【課題】水密性・気密性に優れた合成樹脂製の建具を提供する。【解決手段】室内と室外とを仕切る障子と、前記障子を支持し、中空部を有する合成樹脂製の下枠と、を有する建具であって、前記下枠は、上面に、前記室内と前記中空部とを連通する室内連通孔、及び、前記室外と前記中空部とを連通する室外連通孔と、前記中空部内の水を室外に排出可能な弁を備えた排水孔と、を有し、前記室外連通孔は、通気抑制部材に覆われている。【選択図】図４
2018003252.tif 000002
【特許請求の範囲】
【請求項１】
室内と室外とを仕切る障子と、
前記障子を支持し、中空部を有する合成樹脂製の下枠と、
を有する建具であって、
前記下枠は、上面に、前記室内と前記中空部とを連通する室内連通孔、及び、前記室外と前記中空部とを連通する室外連通孔と、前記中空部内の水を室外に排出可能な弁を備えた排水孔と、
を有し、
前記室外連通孔は、通気抑制部材に覆われていることを特徴とする建具。
【請求項２】
請求項１に記載の建具であって、
前記障子は、内障子及び外障子からなる引き違い障子であり、
前記上面は、前記内障子を支持する内レールと前記外障子を支持する外レールとの間に位置し、
前記中空部は、前記上面の下方に位置していることを特徴とする建具。
【請求項３】
請求項２に記載の建具であって、
前記内障子と前記外障子との召合せ部の下方に、前記内レールと前記外レールとの間に配置される風止め部材を有し、
前記室外連通孔及び前記通気抑制部材は、前記風止め部材の下に設けられていることを特徴とする建具。
【請求項４】
請求項１乃至請求項３のいずれかに記載の建具であって、
前記通気抑制部材は、フェルトであることを特徴とする建具。
【発明の詳細な説明】
【技術分野】
【０００１】
本発明は、下枠に支持されて室内と室外とを仕切る障子を有する建具に関する。
【背景技術】
【０００２】
下枠に支持されて室内と室外とを仕切る障子を有する建具としては、例えば、窓枠内に内、外障子を引き違いに取り付けた引き違い窓が知られている(例えば、特許文献１参照)。この引き違い窓の下枠には、内、外下レールの間に上向凹部が形成されており、上向凹部に水抜穴と排水孔とが設けられている。水抜穴は、室外側となる上向凹部の長手方向の中央部に設けられた風止板の右端に隣接して形成されており、排水孔は室内側となる、風止板の左端側にて下面に開口した切欠凹部に装着された透水性の気密片と対向する位置に設けられている。また、上向凹部には底部より下に、室外側に向けて水切り板が一体形成されている。そして、内、外障子に仕切られて、上向凹部の室内側に位置する部位に溜まった雨水を水切り板に排水できるとともに、外部から排水孔を通して雨水が室内側に吹き込まれないように構成されている。
【先行技術文献】
【特許文献】
【０００３】
【特許文献１】実開昭６２−２０１２８６号公報
【発明の概要】
【発明が解決しようとする課題】
【０００４】
上記建具のように、室内側の水抜穴が透水性の気密片に覆われている場合には、排水能力が低下して下枠上の水を十分に排出できない虞がある。
一方、建具の中には合成樹脂製の下枠を有するものがあり、合成樹脂製の建具は、強度を確保するために、内、外レールの下に長手方向に沿って中空部が設けられている。このように中空部を備える下枠の内、外レールの間に溜まった水は、水抜き穴から中空部内に落とし、中空部と外部とを連通し弁を有する排水孔から外部に排出するように構成されるものがある。このように、外部と連通する排水孔に弁が設けられていたとしても、上記建具のように、障子により仕切られる下枠の室内側と室外側とに中空部と連通する水抜穴が設けられている場合には、排水孔から吹き込む雨水等は、防止できるものの、室外側に位置する水抜穴からは雨水等が中空部内に吹き込んでしまい気密性・水密性が担保できないという課題がある。
【０００５】
本発明は、かかる課題に鑑みてなされたものであり、その目的とするところは、水密性・気密性に優れた合成樹脂製の建具を提供することにある。
【課題を解決するための手段】
【０００６】
かかる目的を達成するために本発明の建具は、室内と室外とを仕切る障子と、前記障子を支持し、中空部を有する合成樹脂製の下枠と、を有する建具であって、前記下枠は、上面に、前記室内と前記中空部とを連通する室内連通孔、及び、前記室外と前記中空部とを連通する室外連通孔と、前記中空部内の水を室外に排出可能な弁を備えた排水孔と、を有し、前記室外連通孔は、通気抑制部材に覆われていることを特徴とする建具である。
【０００７】
このような建具によれば、下枠は、上面に室内と中空部とを連通する室内連通孔と、中空部内の水を室外に排出可能な排水孔を有しているので、室内側における下枠の上面の水を室内連通孔から中空部に落とし、中空部内に溜まった水を排水孔から外部に排出することが可能である。また、室外連通孔は通気抑制部材に覆われているので、室外連通孔からの外気の進入を抑制することが可能である。このため、水密性・気密性に優れた合成樹脂製の建具を提供することが可能である。
【０００８】
かかる建具であって、前記障子は、内障子及び外障子からなる引き違い障子であり、前記上面は、前記内障子を支持する内レールと前記外障子を支持する外レールとの間に位置し、前記中空部は、前記上面の下方に位置していることを特徴とする。
【０００９】
このような建具によれば、内障子と外障子との召合せ部により、下枠の内レールと外レールとの間が室内外に仕切られており、水密性・気密性に優れた合成樹脂製の引き違いタイプの建具を提供することが可能である。
【００１０】
かかる建具であって、前記内障子と前記外障子との召合せ部の下方に、前記内レールと前記外レールとの間に配置される風止め部材を有し、前記室外連通孔及び前記通気抑制部材は、前記風止め部材の下に設けられていることが望ましい。
【００１１】
このような建具によれば、通気抑制部材は、風止め部材の下に設けられているので、障子が開かれた場合であっても通気抑制部材が外部に露出しない。このため、美観を損なうことなく通気抑制部材を備えることが可能である。
【００１２】
かかる建具であって、前記通気抑制部材は、フェルトであることが望ましい。
このような建具によれば、通気抑制部材がフェルトなので、安価、かつ、加工性に優れた建具を提供することが可能である。
【発明の効果】
【００１３】
本発明によれば、水密性・気密性に優れた合成樹脂製の建具を提供することが可能である。
【図面の簡単な説明】
【００１４】
【図１】本実施形態に係る建具の横断面図である。
【図２】図１におけるＡ−Ａ断面図である。
【図３】図１におけるＢ−Ｂ断面図である。
【図４】図１におけるＣ−Ｃ断面図である。
【図５】風止め部材及び通気抑制部材を下側から見た図である。
【図６】図６（ａ）は、下枠に取り付けられる風止め部材及び通気抑制部材を示す斜視図、図６（ｂ）は、下枠に取り付けられた風止め部材及び通気抑制部材を示す斜視図、図６（ｃ）は、下枠に取り付けられた風止め部材及び通気抑制部材の縦断面を示す斜視図である。
【図７】下枠における排水の様子を示す横断面図である。
【図８】風止め部材と離れた位置に通気抑制部材が設けられている下枠を示す平面図である。
【図９】図９（ａ）は、下枠に取り付けられるカバー材及び通気抑制部材を示す斜視図、図９（ｂ）は、下枠に取り付けられたカバー材及び通気抑制部材を示す斜視図、図９（ｃ）は、下枠に取り付けられたカバー材及び通気抑制部材の断面を示す斜視図である。
【発明を実施するための形態】
【００１５】
以下、本発明の一実施形態に係る建具について図面を参照して説明する。
本実施形態の建具は、図１〜図４に示すように、躯体に取り付けられる枠体２と、枠体２に支持される内障子３および外障子４を備えた引違い窓用の建具１である。
【００１６】
以下の説明においては、建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建具１が取り付けられた状態で上下方向、左右方向、見込み方向等となる方向にて方向を特定して説明する。
【００１７】
内障子３及び外障子４を閉じて室内外を仕切った状態では、内障子３及び外障子４が有する框の外周部に、全周にわたって設けられ内周側に窪む溝に、枠体２に設けられて内周側に突出する部位が挿入されている。例えば、図２〜図４に示すように、下框３ａ、４ａでは、上方に窪む溝３ｂ、４ｂが設けられており、溝３ｂ、４ｂ内には、見込み方向において互いに対向する方向に突出するように気密材７が設けられている。内障子３及び外障子４の下框３ａ、４ａに設けられた溝３ｂ、４ｂに下枠２０に設けられている内レール２２及び外レール２３が挿入され、内レール２２及び外レール２３の室内側及び室外側から気密材７が当接されることにより、内障子３及び外障子４と内レール２２及び外レール２３との間の気密性・水密性が保たれている。
【００１８】
また、室内外を仕切る内障子３及び外障子４を閉じた状態で、内障子３及び外障子４との召合せ部の下には、下枠２０上に、内レール２２と外レール２３の間を塞ぐように風止め部材８が設けられており、召合せ部の下においても内障子３及び外障子４と下枠２０との間の気密性・水密性が保たれている。このため、下枠２０と内障子３及び外障子４との間には、図１、図７に示すように、止水されている境界部が連続してライン状をなす止水ラインＴＬが形成される。
【００１９】
風止め部材８は、下枠２０と対面する下面に、室内外を仕切る召合せ部の室外側に、上方に窪む凹部８ａが設けられており、凹部８ａ内には、図５、図６に示すように、通水性を有して気体の流れを抑制可能な、例えばフェルトなどの通気抑制部材９が設けられている。風止め部材８において凹部８ａを形成し室外側に面する外面部８ｂは、風止め部材８を下枠２０上に載置したときに、下枠２０と僅かに間隔が空くように形成されている。
【００２０】
枠体２は、合成樹脂製の４本の押出成形部材でなる枠材が矩形状に枠組みされて形成されている。内障子３および外障子４の下に配置された下枠２０は、左右方向となる下枠２０の長手方向に沿う複数の中空部が見込み方向に並べて設けられた下枠本体部２１と、下枠本体部２１の平坦な上面２１ａより上方に突出し、見込み方向に間隔を開けて設けられた内レール２２及び外レール２３と、下枠本体部２１から内レール２２の下方に垂設されて躯体に固定される躯体固定部２４と、下枠本体部２１の室外側の先端部に設けられ上方に延出させて設けられた外側延出部２５と、を有している。
【００２１】
下枠本体部２１は、内レール２２及び外レール２３が設けられている上面２１ａを形成する上面部２１ｂと、上面部２１ｂと下方に間隔をあけて対向する下面部２１ｃと、上面部２１ｂと下面部２１ｃとの室外側の端部を連結し、室外延出部２５と繋がっている室外壁部２１ｄとを有しており、上面部２１ｂと下面部２１ｃとの間には、内レール２２より室外側に４つのリブ２１ｅが設けられて４つの中空部２１ｆ、２１ｇ、２１ｈ、２１ｉが形成されている。
【００２２】
下面部２１ｃは、躯体固定部２４より室内側の部位が、躯体固定部２４より室外側の部位より高い位置に設けられており、躯体固定部２４より室外側の部位が躯体上に載置された状態で、下枠２０を下から支持する補強部材５とともに躯体固定部２４が躯体にビス止めされている。
【００２３】
内レール２２と外レール２３との間に位置する上面部２１ｂには、上面部２１ｂの下に位置し、内レール２２より室外側に位置する４つの中空部２１ｆ、２１ｇ、２１ｈ、２１ｉのうちの室内側に位置する２つの中空部（以下、内側中空部という）２１ｈ、２１ｉと連通する連通孔２１ｊ、２１ｋが、複数設けられている。
【００２４】
連通孔２１ｊ、２１ｋは、内障子３及び外障子４により、矩形状をなす枠体２にて形成されている開口を閉塞した状態、すなわち内障子３及び外障子４を閉じて室内外を仕切った状態で、上面部２１ｂにおいて内障子３と外障子４との召合せ部の下方に設けられている室外連通孔２１ｊと、仕切られて室内側に位置する部位に設けられている室内連通孔２１ｋとを有している。
【００２５】
室外連通孔２１ｊは、風止め部材８の下に位置して止水ラインＴＬの室外側に設けられており、風止め部材８に設けられている通気抑制部材９により覆われている。また、室内連通孔２１ｋは、内レール２２と外レール２３に嵌合されて外障子４の室内側の上面部２１ｂ上を覆うカバー材１０の下に配置されている。
【００２６】
下枠本体部２１の最も室内側の中空部２１ｉより室外側に設けられている３つのリブ２１ｅには、見込み方向に互いに隣り合う中空部２１ｆ、２１ｇ、２１ｈを連通する開口２１ｍが設けられており、室外壁部２１ｄには、内レール２２より室外側に位置する４つの中空部２１ｆ、２１ｇ、２１ｈ、２１ｉのうちの最も室外側に位置する中空部２１ｆと外部とを連通し、中空部２１ｆ、２１ｇ、２１ｈ、２１ｉ内に進入した水を外部に排出する排水孔２１ｌが設けられている。このため、内レール２２と外レール２３との間に位置する上面部２１ｂの水は、連通孔２１ｊ、２１ｋから内側中空部２１ｈ、２１ｉに落ち、４つの中空部２１ｆ、２１ｇ、２１ｈ、２１ｉを通過して排水孔２１ｌから外部に排出されるように構成されている。
【００２７】
室外壁部２１ｄの室外側には、排水孔２１ｌ毎に弁６が設けられており、中空部２１ｆ、２１ｇ、２１ｈ、２１ｉ内の水は排水孔２１ｌを通して排出されるが、外部からは雨水や外気等が進入しないように構成されている。
【００２８】
本実施形態の建具１は、図７に示すように、上面部２１ｂにおいて内障子３と外障子４との召合せ部の室外側に溜まった水は、通気抑制部材９に吸収されて、室外連通孔２１ｊから最も室内側の中空部２１ｉに落ち、４つの中空部２１ｆ、２１ｇ、２１ｈ、２１ｉを通過して排水孔２１ｌから外部に排出されるように構成されている。このとき、召合せ部の室外側に溜まった水の一部は、外レール２３の切り欠き部２３ａを通って外側延出部２５に設けられている排水孔２５ａからも排出される。外側延出部２５に設けられている排水孔２５ａにも弁６が設けられている。
【００２９】
本実施形態の建具１は、風止め部材８の下の室外連通孔２１ｊが通気抑制部材９に覆われているので、外部から雨水のみならず外気が吹き込むことも抑制されている。一方、召合せ部の室内側に溜まった水は、室内側に設けられている室内連通孔２１ｋから内側中空部２１ｈ、２１ｉに落ち、４つの中空部２１ｆ、２１ｇ、２１ｈ、２１ｉを通過して排水孔２１ｌから外部に排出される。
【００３０】
本実施形態の建具１によれば、下枠２０は、上面２１ａに室内と内側中空部２１ｈ、２１ｉとを連通する室内連通孔２１ｋと、４つの中空部２１ｆ、２１ｇ、２１ｈ、２１ｉ内の水を室外に排出可能な排水孔２１ｌを有しているので、室内側における下枠２０の上面２１ａの水を排水孔２１ｌから外部に排出することが可能である。
【００３１】
また、下枠２０は、室外と最も室内側の中空部２１ｉとを連通する室外連通孔２１ｊと、最も室内側の中空部２１ｉ内の水を室外に排出可能な排水孔２１ｌを有し、室外連通孔２１ｊは通水性を有して気体の流れを抑制可能な通気抑制部材９に覆われているので、室外側における下枠２０の上面２１ａの水を排水孔２１ｌから外部に排出する一方で、排水孔２１ｌに設けられている弁６及び室外連通孔２１ｊを覆う通気抑制部材９により、外気が中空部２１ｆ、２１ｇ、２１ｈ、２１ｉを介して室内に吹き込むこと防止することが可能である。このため、水密性・気密性に優れた合成樹脂製の建具１を提供することが可能である。
【００３２】
また、内障子３と外障子４との召合せ部により、下枠２０の内レール２２と外レール２３との間が室内外に仕切られて、水密性・気密性に優れた合成樹脂製の引き違いタイプの建具１を提供することが可能である。
【００３３】
また、通気抑制部材９は、風止め部材８の下に設けられているので、内障子３、外障子４が開かれた場合であっても室外連通孔２１ｊ及び通気抑制部材９が外部に露出しない。このため、美観を損なうことなく通気抑制部材９を備えることが可能である。
また、通気抑制部材９として用いたフェルトは、安価、かつ、加工性に優れているので、安価で製造性に優れた建具１を提供することが可能である。
【００３４】
上記実施形態においては、室外連通孔２１ｊを召合せ部に設けられている風止め部材８の下に設けた例について説明したが、これに限るものではない。たとえば、図８、図９に示すように、風止め部材８より右側の上面部２１ｂに設けられていても構わない。この場合には、通気抑制部材９は上面部２１ｂの上下のいずれの側に設けられていても構わず、また、風止め部材８より左側の上面部２１ｂと同様に、風止め部材８より右側の上面部２１ｂも上部をカバー材１０により覆っておくことが望ましい。
【００３５】
上記実施形態においては、内障子３および外障子４を備えた引違い窓用の建具１を例に挙げて説明したが、これに限らず、３枚以上の引戸障子により室内外が仕切られる建具や、障子として開き戸等が備えられた建具であっても構わない。
【００３６】
また、上記実施形態においては、通気抑制部材としてフェルトを例に挙げて説明したが、これに限らず、例えば、スポンジなどの多孔質材料のように、通気抑制を有して気体の流れを抑制可能な部材であれば構わない。
【００３７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３８】
１  建具、２  枠体、３  内障子、４  外障子、６  弁、 ８  風止め部材、
９  通気抑制部材、２０  下枠、２１ａ  上面、
２１ｆ、２１ｇ、２１ｈ、２１ｉ  中空部、２１ｊ  室外連通孔（連通孔）、
２１ｋ  室内連通孔（連通孔）、２２  内レール、２３  外レール、
２５ａ  排水孔、
ＴＬ  止水ライン、
【図１】
2018003252.tif 000003
【図２】
2018003252.tif 000004
【図３】
2018003252.tif 000005
【図４】
2018003252.tif 000006
【図５】
2018003252.tif 000007
【図６】
2018003252.tif 000008
【図７】
2018003252.tif 000009
【図８】
2018003252.tif 000010
【図９】
2018003252.tif 000011